(57)【要約】【課題】フラットパネルテレビジョン装置などの表示装置の特定のパラメータの初期値を設定するための方法を提供すること。【解決手段】表示装置は、最初の電力投入を検出すると、家庭観視環境または店舗展示環境用に装置を設定するための選択肢を、ユーザに対して提示する。表示装置は、ユーザによって選択された選択肢に基づいて、選択された環境に対して設定が最適になるように、色、輝度、コントラスト、および他の画像表示特性に関するパラメータの初期値を設定する。【選択図】  図１
2007298940.tif 000002
【特許請求の範囲】
【請求項１】
表示装置においてその制御パラメータを設定するための方法であって、
前記表示装置の最初の電源投入状態を検出するステップと、
異なる観視環境に対応する選択肢をユーザに対して提示するステップと、
前記選択肢からの１つの選択を示すユーザからの応答を受け取るステップと、
受け取った前記応答に基づいて複数の制御パラメータの値を設定および記憶するステップと
を含む方法。
【請求項２】
前記表示装置が、フラットパネルテレビジョン装置である、請求項１に記載の方法。
【請求項３】
前記選択肢が、オンスクリーンディスプレイを使用して提示され、前記応答が、遠隔制御装置、または前記表示装置上のフロントパネル制御ボタンを介して受け取られる、請求項１に記載の方法。
【請求項４】
前記複数の制御パラメータの前記記憶された値に従って前記表示装置を制御するステップを更に含む、請求項１に記載の方法。
【請求項５】
表示パネルと、
複数の制御パラメータに基づいて前記表示パネルを制御すると共に、プロセッサと複数の制御パラメータの値を記憶するためのメモリとを有する制御装置と、を備え、
前記制御装置は、前記表示装置の最初の電源投入状態を検出し、異なる観視環境に対応する選択肢を提示し、前記選択肢からの１つの選択を示す入力を受け取り、受け取った前記入力に基づいて複数の制御パラメータの値を設定および記憶するように動作可能な、表示装置。
【請求項６】
前記表示装置が、フラットパネルテレビジョン装置、リアプロジェクションテレビ、またはフロントプロジェクションテレビである、請求項５に記載の装置。
【請求項７】
前記選択肢が、オンスクリーンディスプレイを使用して提示され、
ユーザからの応答を受け取るための遠隔制御センサまたはフロントパネル制御ボタンを更に備える、請求項５に記載の装置。
【請求項８】
前記制御装置が、前記複数の制御パラメータの前記記憶された値に従って前記表示装置を制御するように更に動作可能な、請求項５に記載の装置。
【発明の詳細な説明】
【発明の分野】
【０００１】
本発明は、表示装置に関し、詳細には、表示装置の初期設定を提供するための方法および装置に関する。
【関連技術の説明】
【０００２】
ＬＣＤ、プラズマ、ＤＬＰ、ＬＣｏＳ、およびＨＴＰＳパネルを含む、フラットパネル、リアプロジェクション、およびフロントプロジェクション型のディスプレイを使用したテレビジョン装置などの表示装置は、複雑なディスプレイ技術を利用しており、満足な画質を提供するために、表示パネルおよびそれらの制御装置について、多数の制御パラメータが適切に設定される必要がある。例えば、制御パラメータの１つのカテゴリには、表示された画像の色、輝度、コントラスト、および他の特性に影響を及ぼすパラメータが含まれる。このようなパラメータの不適切な設定は、しばしば、表示された画像の不充分な色忠実度および他の望ましくない結果をもたらす。
【発明の概要】
【０００３】
以下の説明ではテレビジョン装置を例として用いるが、本発明は、デスクトップコンピュータモニタ、ラップトップコンピュータ、およびポータブルＤＶＤプレイヤなど他のタイプの表示装置にも適用される。表示パネルは、液晶表示（ＬＣＤ）パネル、またはプラズマスクリーンなどとすることができる。
【０００４】
表示装置のいくつかの特定の制御パラメータ（特に、色、輝度、およびコントラストなどに関するパラメータ）の適切な設定に影響を及ぼす１つのファクタは、周囲の照明条件である。例えば、典型的にはテレビジョン装置が展示販売されている店舗内などに見られる条件のような、周囲の照明が非常に明るいハロゲンまたは蛍光照明である環境でＬＣＤ画面を見る場合と、典型的には消費者の家庭などに見られる観視条件のような、周囲の照明がより柔らかな白熱照明である環境でＬＣＤ画面を見る場合とでは、かかるパラメータの最適な設定が異なる。店舗環境用の最適設定は、より高い輝度の設定、より高いコントラストの設定、より寒色の色温度の設定、過飽和した赤色および青色を有する色調の設定、非常に強いシャープネス、および、非常に明るいバックライトなどを用いる。一方、家庭環境用の最適設定は、より低い輝度の設定、より低いコントラストの設定、約６５００度の色温度、より少ない赤色および青色の過飽和、より柔らかいシャープネス、および、より明るくないバックライトなどを用いる。一方の周囲の照明条件（例えば、店舗の観視条件）下で最適な設定を、異なる周囲の照明条件（例えば、家庭の観視条件）下で用いると、しばしば、低品質の表示画像をもたらすことになる。
【０００５】
新しく製造されたテレビジョン製品は、その装置のための様々な制御パラメータが、工場出荷時設定と呼ばれる特定の値に事前に設定されている。従来、色、輝度、およびコントラストなどに関するパラメータは、製造者によって、店舗環境（例えば、明るい蛍光照明）において見るために最適な工場出荷時設定に設定される。これは、一般に、店舗では、出荷品から少数の製品をサンプルとして取り出し、工場出荷時設定を通常は全く変更せずに、それらを顧客に見せるために店舗内に設置するからである。工場出荷時設定が家庭での観視のために最適化された場合、店舗で展示されたサンプル製品は、表示品質が悪く、見込み客にとって魅力的に見えない。したがって、展示されたサンプル製品の良好な画質を保証するために（それによって売上げを向上するために）、従来、製造者は、関連するパラメータを、店舗展示に最適である工場出荷時設定に設定していた。
【０００６】
この手法の問題点は、テレビジョン製品を購入した後、大半の消費者は、その製品を再設定することなく工場出荷時設定で使用することである。多くの消費者は、通常、個々の消費者の好みによる、例えばペアレンタル制御など少数の限られたパラメータのみを設定し、その他のパラメータをそのままにして変更しない。このような消費者の行動の理由の１つは、消費者は、製品は消費者の使用にとって適切に工場で設定されていると仮定する傾向にあることである。消費者がテレビジョンの設定を調整するのを妨げるもう１つの理由は、その手順がしばしば面倒かつ複雑であり、消費者は、適切な設定がどうあるべきかを理解できず、混乱したり挫折することが多いことである。
【０００７】
その結果、従来のテレビジョン製品では、色および他の画質の側面に影響を及ぼす制御パラメータが、たいていは店舗展示に最適である工場出荷時設定のままで、家庭での観視には不適切であり、消費者にとって低品質の画質がもたらされる。
【０００８】
本発明は、上記の問題の解決策を提供し、表示装置がその用途に対し適切に設定されることを可能にする。
【０００９】
本発明の更なる特徴および利点を、以下の説明に示すが、それらは、ひとつには以下の説明から明らかとなり、あるいは本発明の実施によって理解されうる。本発明の目的および他の利点は、添付の図面とともに明細書および添付の特許請求の範囲において詳細に示される構造によって、理解され達成されるであろう。
【００１０】
上記および他の利点を達成するために、本発明の目的に従って、本発明を広く具体的に記述すると、表示装置においてその制御パラメータを設定する方法であって、表示装置の最初の電源投入状態を検出するステップと、異なる観視環境に対応する選択肢をユーザに提示するステップと、選択肢からの１つの選択を示すユーザからの応答を受け取るステップと、受け取った応答に基づいて複数の制御パラメータの値を設定し記憶するステップとを含む。
【００１１】
別の態様では、本発明の表示装置は、表示パネルと、複数の制御パラメータに基づいて表示パネルを制御する制御装置であって、プロセッサと複数の制御パラメータの値を記憶するためのメモリとを有する制御装置と、を備えており、制御装置が、表示装置の最初の電源投入状態を検出し、異なる観視環境に対応する選択肢を提示し、選択肢からの１つの選択を示す入力を受け取り、受け取った入力に基づいて複数の制御パラメータの値を設定し記憶するように動作可能とされる。
【００１２】
上述の概要および以下の詳細な説明はともに例示的な説明であり、請求項に係る本発明を更に説明するためのものである。
【好ましい実施形態の詳細な説明】
【００１３】
図１は、本発明の一実施形態による、テレビジョン装置のためのいくつかの特定の制御パラメータを初期設定するための方法を示すものである。テレビジョン装置が工場出荷後に最初に電源投入されたとき（最初の電源投入と呼ぶ）、テレビジョン装置は、この最初の電源投入状態を検出し、初期化プロセスを実行する。
【００１４】
まず、テレビジョン装置は、家庭または店舗観視環境用に装置を設定するための選択肢をユーザに提示し（ステップＳ１２）、この選択肢からの１つの選択を示すユーザからの応答（入力）を受け取る（ステップＳ１３）。店舗および家庭での観視に加えて、所望される場合は他の観視条件を含めてもよい。好ましい実施形態では、オンスクリーンディスプレイ方法を用いて選択肢が提示され、遠隔制御装置およびテレビジョン装置上の対応するセンサ、またはディスプレイ上のフロントパネル制御ボタンを介して、ユーザからの応答が受け取られる。このような技術は、当該技術分野で周知である。また、選択肢は、音声コマンドを介して提示することもでき、ユーザは、音声によって、あるいは遠隔制御またはディスプレイ上のフロントパネル制御ボタンを使用して応答することができる。テレビジョン装置とユーザの対話のための他の適切な手段を使用することもできる。ユーザが家庭観視の選択肢を選択した場合（ステップＳ１４における「はい」）、テレビジョン装置は、関連する制御パラメータ（すなわち、色、輝度、コントラスト、および画像表示の他の側面を制御するパラメータ）を、典型的な家庭の観視条件に最適な値に設定し、これらの値を記憶する（ステップＳ１５）。ユーザが店舗観視の選択肢を選択した場合（ステップＳ１４における「いいえ」）、テレビジョン装置は、関連する制御パラメータを、典型的な店舗の観視条件に最適な値に設定し、これらの値を記憶する（ステップＳ１６）。次いで、テレビジョン装置は、初期化プロセスを続行する（ステップＳ１７）。
【００１５】
上述のステップは、最初の電源投入時のみに実行される。その後の使用では、記憶された制御パラメータ設定が、表示パネルを制御するために使用されることになる。この方法を用いることにより、店舗および消費者の両方が、所期の観視環境に最適の適切な設定に、テレビジョン装置の関連するパラメータを適切に設定することができる。テレビジョン装置は、ユーザがこれらのパラメータをいつでも更に調節できるようにしてもよい。観視環境によって影響されない他の制御パラメータが、工場で事前設定されうるが、それらは、上述の初期化プロセスの影響を受けない。
【００１６】
上述の方法は、ソフトウェアまたはファームウェアによって制御されるプロセッサによって表示装置に実装することができる。そのようなプロセッサは、従来の表示装置で広く使用されており、その実装は、関連技術分野の技術者の技能の範囲内にある。図２は、表示パネル２１、表示パネルを制御するための制御装置２２、および、ユーザと対話するためのユーザインターフェース２３を含む、表示装置の関連コンポーネントを示す。制御装置２２は、プロセッサと、制御パラメータ設定を記憶するためのメモリとを備えることができる。制御装置はまた、表示装置の最初の電源投入状態を検出するための（従来型の）適切な検出装置を備える。制御装置２２は、図１に示された上述の方法を実施して、最初の電源投入の際に、関連する制御パラメータを適切に設定する。
【００１７】
上記の説明ではテレビジョン装置を例として用いたが、本方法は、以下に限定されないが、デスクトップコンピュータモニタ、ラップトップコンピュータ、およびポータブルＤＶＤプレイヤなどを含む他のタイプの表示装置に、広く適用することができる。更に、上記の説明では家庭および店舗観視環境用の色に関連した設定を例として用いたが、本方法は、異なる用途に応じて異なる最適設定が所望される他のタイプの制御パラメータの初期設定にも適用することができる。
【００１８】
本発明の精神または範囲から逸脱することなく、本発明の方法および装置において様々な修正形態および変形形態が可能であることは、当業者には明らかであろう。したがって、本発明は、添付の特許請求の範囲およびその均等物の範囲に入る修正形態および変形形態を含むことが意図される。
【図面の簡単な説明】
【００１９】
【図１】本発明の一実施形態による方法を示すフローチャートである。
【図２】本発明の一実施形態による方法が実施される表示装置を概略的に示す図である。
【符号の説明】
【００２０】
２１…表示パネル、２２…制御装置、２３…ユーザインターフェース。
【図１】
2007298940.tif 000003
【図２】
2007298940.tif 000004
【外国語明細書】
2007298940000001.pdf